(57)【要約】【課題】  サーマルプリンタを備える商品販売データ処理装置において、客用レシートとは別に、商品のバリデーション用レシートを印字発行できるようにする。【解決手段】  取引商品の売上登録処理を実行し客用レシート印字データ記憶エリアに記憶したデータに基づいて一取引毎にサーマルプリンタによって客用レシートを印字発行する構成において、客用レシート印字データ記憶エリアとは別に設けられ直近の売上登録処理がなされた商品の商品データを記憶する第２のデータ記憶エリアを備え、直近の売上登録処理がなされた商品のバリデーション用レシートの発行が宣言された場合（ステップＳ５のＹ）、バリデーション用レシートを第２の記憶エリアに記憶されているデータに基づいてサーマルプリンタによって印字発行するようにした（ステップＳ６）。【選択図】    図５
2006134121.tif 000002
【特許請求の範囲】
【請求項１】
取引商品の売上登録処理を実行し客用レシート印字データ記憶エリアに記憶した客用レシート印字データに基づいて一取引毎にサーマルプリンタによって客用レシートを印字発行する商品販売データ処理装置において、
前記客用レシート印字データ記憶エリアとは別に設けられ、直近の売上登録処理がなされた商品の商品データを記憶する第２のデータ記憶エリアと、
直近の売上登録処理がなされた商品のバリデーション用レシートの発行を宣言する発行宣言手段と、
前記バリデーション用レシートの発行が宣言された場合、前記バリデーション用レシートを前記第２のデータ記憶エリアに記憶されているデータに基づいて前記サーマルプリンタによって印字発行する発行手段と、
を備えることを特徴とする商品販売データ処理装置。
【発明の詳細な説明】
【技術分野】
【０００１】
本発明は、ＥＣＲ（Electronic Cash Register：電子式キャッシュレジスタ）やＰＯＳ（Point Of Sales：販売時点管理）端末等の商品販売データ処理装置に関する。
【背景技術】
【０００２】
従来、ＥＣＲやＰＯＳ端末等の商品販売データ処理装置には、客用レシートとは別にバリデーション用レシートを印字発行するものがある。バリデーション用レシートは、委託先から商品の販売を委託された店舗において、販売した委託販売品の名称や販売個数などの販売データを記載した伝票であり、例えば、委託販売品を販売したことの証明書として用いられるものである。
【０００３】
このようなバリデーション用レシートは、ドットインパクトプリンタを搭載した商品販売データ処理装置において発行される。この商品販売データ処理装置の通常の商品販売データ処理では、商品の売上登録処理がなされる毎にインパクトドットプリンタによってその商品の取引情報をロール紙に印字して、全ての取引商品の販売登録処理及び印字が終了した後に、所定の長さでロール紙を切断して客用レシートを発行する。この構成において、委託販売品が売上登録処理され、キャッシャによりドットインパクトプリンタに単票用紙が手差しされて、所定のキーが操作された場合、その委託販売品の商品情報を手差しされた単票用紙にドットインパクトプリンタによって印字して、バリデーション用レシートとして発行する。このとき、委託商品情報はロールにも同様に印字する。このように、２種類の用紙に印字する技術は、例えば、特許文献１に開示されている。
【０００４】
【特許文献１】特開平５−８４７２号公報
【発明の開示】
【発明が解決しようとする課題】
【０００５】
ところで、商品販売データ処理装置としては、プリンタとしてサーマルプリンタを搭載した商品販売データ処理装置が広く普及している。サーマルプリンタを搭載した商品販売データ処理装置では、上記のバリデーション用レシートを印字発行できるものがない。それは、ドットプリンタでは、商品登録された商品の取引情報を逐次印字するが故に、一つの商品情報をロール紙及び単票用紙の両方に連続して印字できる構成であるのに対して、サーマルプリンタでは、全ての商品登録が終了した後に、全ての取引内容を一括してロール紙に印字して客用レシートを発行するため、どれか一つの商品情報をロール紙とは別の単票用紙に印字することができないためである。
【０００６】
加えて、サーマルプリンタにおいて、仮に、ドットインパクトプリンタのようにロール紙上に単票用紙を搬送させる過程で単票用紙に商品情報を印字したならば、その内容が単票用紙の下に位置するロール紙にも印字されてしまうおそれがある。
【０００７】
本発明の目的は、サーマルプリンタを備える商品販売データ処理装置において、客用レシートとは別に、商品のバリデーション用レシートを印字発行できるようにすることである。
【課題を解決するための手段】
【０００８】
本発明は、サーマルプリンタによって客用レシートを印字発行する構成において、客用レシート印字データ記憶エリアとは別に設けられ、直近の売上登録処理がなされた商品の商品データを記憶する第２のデータ記憶エリアと、直近の売上登録処理がなされた商品のバリデーション用レシートの発行を宣言する発行宣言手段と、前記バリデーション用レシートの発行が宣言された場合、前記バリデーション用レシートを前記第２のデータ記憶エリアに記憶されているデータに基づいてサーマルプリンタによって印字発行する発行手段と、を備えることを特徴とする。
【発明の効果】
【０００９】
本発明によれば、サーマルプリンタを備える商品販売データ処理装置において、客用レシートとは別に、バリデーション用レシートを印字発行することができる。
【発明を実施するための最良の形態】
【００１０】
本発明の一実施の形態を図面に基づいて説明する。
【００１１】
図１は本実施の形態の商品販売データ処理装置であるＥＣＲ１の外観を示す斜視図である。図１に示すように、ＥＣＲ１は、ドロワ２に載置され、このドロワ２の開閉を制御する。ＥＣＲ１には、各種のキーが集合するキーボード４、図示しない鍵によってＥＣＲ１の動作モードを登録モード・設定モード・精算モード・点検モード等の各業務モードに切り替え設定するためのコントロールキー５、サーマルプリンタ６（図３参照）によって印字される客用レシートＲ１（図４（ａ）参照）等を発行するレシート発行口７及びジャーナル窓８が設けられている。また、ＥＣＲ１の右側上方には、操作者側の表示部として機能するディスプレイ９が配置され、このディスプレイ９の近傍には客側の表示部として機能する客側ディスプレイ１０が立設されている。さらに、ＥＣＲ１には、商品に付される商品コードを光学的に読み取るためのバーコードスキャナ１１が接続されている。
【００１２】
図２は、キーボード４の各種キーの配列を示す平面図である。キーボード４は、数字を入力するための「０」から「９」までの置数キー４ａ、締めを宣言する締めキーとして機能する預／現計キー４ｂ、バリデーション用レシートＲ２（図４（ｂ）参照）の発行を宣言する発行宣言手段として機能するＶＡＬＩキー４ｃ等の各種のキーをブロック毎に配列した外観構造を有している。ここで、バリデーション用レシートＲ２は、委託先から商品の販売を委託された店舗において、販売した委託販売品の名称や販売個数などの販売データを記載した伝票であり、例えば、委託販売品を販売したことの証明書として用いられ、販売店から委託先へ渡されるものである。
【００１３】
次に、ＥＣＲ１に備えられる各部の電気的接続を図３に基づいて説明する。図３に示すように、このＥＣＲ１は、Microcomputer（以下、マイコンという。）１３を内蔵し、このマイコン１３が、前述したキーボード４、コントロールキー５、サーマルプリンタ６、ディスプレイ９、客側ディスプレイ１０、バーコードスキャナ１１等の各部をバスライン１４と各種制御回路（図示せず）とを介して駆動制御する。また、マイコン１３は、ＣＰＵ（Central Processing Unit）１５にバスライン１４を介して、起動プログラム等の固定的データを格納する記録媒体であるＲＯＭ（Read Only Memory）１６と各種データを書き替え自在に格納するＲＡＭ（Random Access Memory）１７とを接続することにより構成されている。
【００１４】
ＲＡＭ１７は、可変的なデータを書き替え自在に格納する機能を利用して、各種ワークエリアの機能を果たす。一例として、ＲＡＭ１７には、後述する商品販売データ処理に伴い、売上金額を記憶する売上バッファ等の各種バッファが確保される。さらに、ＲＡＭ１７には、商品販売データ処理に伴い、図４（ａ）に示す客用レシート印字データ記憶エリア１７ａ、図４（ｂ）に示す第２の記憶エリアであるバリデーション印字データ記憶エリア１７ｂが確保される。客用レシート印字データ記憶エリア１７ａは、客用レシートＲ１に印字するデータを記憶するエリアであり、バリデーション印字データ記憶エリア１７ｂは、バリデーション用レシートＲ２に印字するデータを記憶するエリアである。このＲＡＭ１７は、バッテリ（図示せず）によってバックアップされている。
【００１５】
また、マイコン１３にはバスライン１４を介してＨＤＤ（Hard Disk Drive）１８が接続されており、このＨＤＤ１８には、マイコン１３を動作させるコンピュータプログラムや商品マスタファイル、売上登録に係る売上情報を記憶保持する売上ファイル、ジャーナルファイル等が格納されている。商品マスタファイルは、商品の商品コード毎に商品名、単価、部門コード等を対応付けて記憶保持するファイル構造を有する。
【００１６】
次に、ＥＣＲ１のＨＤＤ１８に格納されたコンピュータプログラムに従ってマイコン１３が実行する処理について説明する。起動後のＥＣＲ１では、コントロールキー５の切り換え位置に応じて動作モードが選択される。つまり、コントロールキー５の切り換え位置によって発生する出力信号に応じ、マイコン１３がＥＣＲ１の動作モードを登録モード、設定モード、精算モード、点検モード等に設定する。本実施の形態においては、各モードの処理について従来のＥＣＲ１によって行なわれる処理と同様の処理についてはその説明を省略する。
【００１７】
次に、商品販売データ処理について説明する。ここで、図５は商品販売データ処理の流れを概略的に示すフローチャートである。商品販売データ処理は、コントロールキー５の切り換え操作によって登録モードに設定されていることを条件として実行される。図５に示すように、商品販売データ処理では、まず、取引商品についてのバーコードスキャナ１１による商品情報である商品コードの読み取りやキーボード４の置数キー４ａによる商品コードの入力、及びキーボード４の置数キー４ａによる販売個数の入力に待機する（ステップＳ１）。
【００１８】
バーコードスキャナ１１による商品コードの読み取り入力、及びキーボード４のキー入力による販売個数の入力等があったと判断すると（ステップＳ１のＹ）、売上登録処理を実行する（ステップＳ２）。この売上登録処理では、入力された商品コードに基づいて商品マスタファイルを検索することにより得られた商品名や単価等に基づく売上登録データをＲＡＭ１７の売上バッファやジャーナルバッファに格納し、その単価等の取引情報をディスプレイ９に表示させる。加えて、ここまでの売上登録データに基づく商品の合計金額を算出し、ＲＡＭ１７の売上バッファに格納してディスプレイ９に表示させる。
【００１９】
次に、ステップＳ２において売上登録処理した商品の商品名や単価、個数等の売上登録データを客用レシート印字データ記憶エリア１７ａに累積保存し（ステップＳ３）、かつ、その売上登録データをバリデーション印字データ記憶エリア１７ｂに保存する。このとき、バリデーション記憶エリアに既にデータがある場合には、上書き保存する（ステップＳ４）。
【００２０】
次に、ステップＳ５に進み、キャッシャによりＶＡＬＩキー４ｃが操作されたか否かを判断する（ステップＳ５）。ＶＡＬＩキー４ｃが操作されたと判断した場合には（ステップＳ５のＹ）、ステップＳ１で商品コードが入力された商品のバリデーション用レシートＲ２をサーマルプリンタ６によって印字発行する（ステップＳ６：発行手段）。バリデーション用レシートＲ２には、バリデーション印字データ記憶エリア１７ｂに記憶されているデータ等を印字する。ここで、図６に、印字発行されたバリデーション用レシートＲ２の一例を示す。このバリデーション用レシートＲ２には、販売された商品の商品名、単価、販売日時、キャッシャ名等が印字されている。
【００２１】
このようなバリデーション用レシートＲ２を印字発行した後、ステップＳ７に進む。また、ステップＳ５においてＶＡＬＩキー４ｃが操作されない場合にも（ステップＳ５のＮ）、ステッ７に進む。ステップＳ１〜Ｓ６の処理は、キーボード４の預／現計キー４ｂが操作され、締め宣言がなされる迄（ステップＳ７のＹ）、繰り返される。
【００２２】
そして、キーボード４の預／現計キー４ｂが操作され、締めが宣言された場合には（ステップＳ７のＹ）、締め処理を実行する（ステップＳ８）。締め処理では、ＲＡＭ１７の売上バッファに記憶された売上登録データを売上ファイルに記憶し、客用レシート印字データ記憶エリア１７ａに記憶されている売上登録データ等をサーマルプリンタ６によって印字させた客用レシートＲ１をレシート発行口７から発行するとともに、ドロワ２を開放させる。そして、客用レシート印字データ記憶エリア１７ａに記憶されているデータをクリアして、次の商品販売データ処理に備える。また、商品の合計金額（売上合計金額）等により構成されるジャーナルデータをジャーナルバッファに格納し、一取引に係るジャーナルデータを作成する。こうして一取引が終了すると、ジャーナルバッファのジャーナルデータをジャーナルファイルに記憶する。
【００２３】
以上説明したように、本実施の形態においては、一取り引き毎にサーマルプリンタ６によって客用レシートＲ１を印字発行する構成において、客用レシート印字データ記憶エリア１７ａとは別に設けられ、直近の売上登録処理がなされた商品の商品データを記憶する第２のデータ記憶エリアを備え、直近の売上登録処理がなされた商品のバリデーション用レシートＲ２の発行が宣言された場合、バリデーション用レシートＲ２を第２の記憶エリアであるバリデーション印字データ記憶エリア１７ｂに記憶されているデータに基づいてサーマルプリンタ６によって印字発行するようにしたので、客用レシートＲ１とは別に、バリデーション用レシートＲ２が印字発行される。
【００２４】
なお、本実施の形態においては、商品販売データ処理装置としてＥＣＲ１を適用した例を説明したが、これに限るものではなく、商品販売データ処理装置としては、ＰＯＳ端末等であってもよい。
【図面の簡単な説明】
【００２５】
【図１】本発明の一実施の形態の商品販売データ処理装置であるＥＣＲの外観を示す斜視図である。
【図２】キーボードの各種キーの配列を示す平面図である。
【図３】ＰＯＳ端末に備えられる各部の電気的接続を示すブロック図である。
【図４】ＲＡＭ内に形成される記憶エリアを模式的に示し、（ａ）は、客用レシート印字データ記憶エリアを示す模式図、（ｂ）は、バリデーション印字データ記憶エリアを示す模式図である。
【図５】商品販売データ処理の流れを概略的に示すフローチャートである。
【図６】バリデーション用レシートの一例を示す正面図である。
【図７】客用レシートの一例を示す正面図である。
【符号の説明】
【００２６】
１…商品販売データ処理装置、４ｃ…発行宣言手段、６…サーマルプリンタ、１７ａ…客用レシート印字データ記憶エリア、１７ｂ…第２の記憶エリア、Ｒ１…客用レシート、Ｒ２…バリデーション用レシート
【図１】
2006134121.tif 000003
【図２】
2006134121.tif 000004
【図３】
2006134121.tif 000005
【図４】
2006134121.tif 000006
【図５】
2006134121.tif 000007
【図６】
2006134121.tif 000008
【図７】
2006134121.tif 000009